(57)【要約】      （修正有）【課題】額縁に収納する絵画等の対象物の大きさを入力することで、額縁の制作に必要な材料の長さを算出し、容易に額縁をデザインする事ができる額縁情報算出装置を提供する。【解決手段】対象物の縦長、横長及び幅を含む大きさに関する情報及び表面保護材の厚さに関する情報に基づいて、額縁の外寸、内寸、厚さ等の額縁の大きさに関する情報を算出し（ステップＳ１５０）、額縁情報フィールドに表示する。【効果】対象物の大きさに関する情報を入力するだけで、例えば、額縁を作製する際に必要なかかり幅に関する情報等、額縁に関する知識を有しない者であっても、額縁の大きさを容易に知ることができる。【選択図】図９
2018079164.tif 000002
【特許請求の範囲】
【請求項１】
額縁に収納される対象物の大きさに関する情報を入力する対象物情報入力手段と、
前記対象物の大きさに関する情報及び前記対象物の表面側に挿入される表面保護材の大きさに関する情報に基づいて額縁の大きさに関する情報を算出する額縁情報算出手段と、
前記額縁の大きさに関する情報を出力する額縁情報出力手段と、
を備えたことを特徴とする、
額縁情報算出装置。
【請求項２】
前記額縁情報算出手段は、前記対象物の大きさに関する情報及び前記表面保護材の大きさに関する情報に加え、額縁を作製する際に必要なかかり幅に関する情報に基づいて額縁の大きさに関する情報を算出することを特徴とする、
請求項１に記載の額縁情報算出装置。
【請求項３】
請求項１又は２に記載の額縁情報算出装置であって、
額縁材料の大きさに関する情報を記憶する在庫情報記憶手段と、
前記額縁に収納される対象物の大きさに関する情報と、前記在庫情報記憶手段に記憶された額縁材料の大きさに関する情報と、前記額縁の大きさに関する情報と、に基づいて前記額縁の作製が可能か否かを判定する在庫確認手段と、
を備えたことを特徴とする、
額縁情報算出装置。
【請求項４】
前記額縁情報算出手段は、前記対象物の大きさに関する情報と、前記対象物の裏面側に挿入される裏面保護部材の大きさに関する情報と、前記対象物の表面側に挿入される表面保護部材の大きさに関する情報と、に基づいて前記額縁の大きさに関する情報を算出することを特徴とする、
請求項１から３のいずれか１項に記載の額縁情報算出装置。
【請求項５】
請求項１から４のいずれか１項に記載の額縁情報算出装置であって、
前記額縁の大きさに関する情報に基づいて、前記額縁を収納する収納箱の高さに関する情報を算出する箱サイズ算出手段と、
を備え、
前記収納箱の高さは、予め所定の間隔で定められた箱の高さサイズ域毎に算出されることを特徴とする、
額縁情報算出装置。
【請求項６】
前記額縁情報出力手段は、前記額縁の大きさに関する情報と前記収納箱の高さに関する情報とをそれぞれ別に出力することを特徴とする、
請求項５に記載の額縁情報算出装置。
【請求項７】
額縁に収納される対象物の大きさに関する情報を入力する対象物情報入力手段と、前記対象物の大きさに関する情報に基づいて額縁の大きさに関する情報を算出する額縁情報算出手段と、前記額縁の大きさに関する情報を出力する額縁情報出力手段と、を備えた額縁情報算出装置を制御する制御方法であって、
前記対象物の大きさに関する情報を入力する対象物情報入力ステップと、
前記対象物の大きさに関する情報に基づいて額縁の大きさに関する情報を算出する額縁情報算出ステップと、
前記額縁の大きさに関する情報を出力する額縁情報出力ステップと、
を含むことを特徴とする、
額縁情報算出方法。
【請求項８】
請求項７に記載の額縁情報算出方法を、１又は２以上のコンピュータに実行させるためのプログラム。
【発明の詳細な説明】
【技術分野】
【０００１】
本発明は、額縁情報算出装置、その制御方法及びプログラムに関する。
【背景技術】
【０００２】
従来、施主やデザイナー等の専門知識が無い人であっても玄関ドアをデザインすることができ、かつ玄関ドア製造メーカーにおけるその玄関ドアの制作、施工までの時間を短縮でき、コストも低減できる玄関ドア設計システムが知られている。例えば、特許文献１には、入力手段、表示手段、処理手段、記憶手段を備えた玄関ドア設計システムであって、処理手段は、玄関ドアのドア枠タイプの選択肢およびドア開口寸法の入力欄を表示して入力記憶させるドア枠情報入力処理手段と、ドア枠や扉の色を入力記憶させる色情報入力手段と、金物情報を入力記憶させる金物情報入力処理手段と、姿図を作図する作図手段とを備えた、玄関ドア設計システムが記載されている。こうした玄関ドア設計システムでは、玄関ドアの設計に必要な情報を入力することで、玄関ドアを容易にデザインすることが可能となる。
【先行技術文献】
【特許文献】
【０００３】
【特許文献１】特開２００４―２６３４３４号公報
【発明の概要】
【発明が解決しようとする課題】
【０００４】
ところで、絵画等を収納する額縁をデザインする場合にも、額縁に使用する材質や大きさ、絵画の大きさなど、絵画等の収納される対象物によって額縁は種々のデザインを有し、最適な額縁をデザインすることは、容易ではない。
【０００５】
特に、額縁に使用される材料の長さは、額縁に収納する対象物の大きさに応じて変化するため、額縁を作製するために必要な長さを簡単に算出することはできず、玄関ドア設計システムを額縁に適用することはできない。
【０００６】
本発明は、このような課題に鑑みなされたものであり、額縁に収納する絵画等の対象物の大きさを入力することで、額縁の制作に必要な材料の長さを算出し、容易に額縁をデザインする事ができる額縁情報算出装置を提供することを主目的とする。また、このような額縁情報算出装置を制御する制御方法及びそのプログラムを提供することも、目的の一つとする。
【課題を解決するための手段】
【０００７】
本発明は、上述の目的の少なくとも一つを達成するために以下の手段を採った。
【０００８】
本発明の額縁情報算出装置は、
額縁に収納される対象物の大きさに関する情報を入力する対象物情報入力手段と、
前記対象物の大きさに関する情報に基づいて額縁の大きさに関する情報を算出する額縁情報算出手段と、
前記額縁の大きさに関する情報を出力する額縁情報出力手段と、
を備えたことを特徴とするものである。
【０００９】
この額縁情報算出装置は、対象物情報入力手段によって入力された額縁に収納される対象物の縦の長さ、横の長さ及び厚さに関する情報を含む対象物の大きさに関する情報及び前記対象物の表面側に配置される表面保護材の大きさに関する情報に基づき、額縁情報算出手段が額縁の縦の長さ、横の長さ及び厚さに関する情報を含む額縁の大きさに関する情報を算出し、額縁情報出力手段が算出した額縁の大きさに関する情報を出力する。こうすることにより、対象物の縦の長さ、横の長さ及び厚さに関する情報を入力することで、額縁の縦の長さ、横の長さ及び厚さに関する情報を出力することができる。
【００１０】
本発明の額縁情報算出装置は、前記額縁情報算出手段は、前記対象物の大きさに関する情報及び前記表面保護材の大きさに関する情報に加え、額縁を作製する際に必要な額かかり幅に関する情報に基づいて額縁の大きさに関する情報を算出することを特徴としてもよい。こうすれば、額かかり幅に関する情報を有しない者が額縁情報算出装置を使用した場合であっても、額縁を作製するために必要な長さを出力することができ、より見栄えの良いデザインの額縁を作製するために必要な情報を得ることができる。
【００１１】
本発明の額縁情報算出装置は、額縁材料の大きさに関する情報を記憶する在庫情報記憶手段と、前記額縁に収納される対象物の大きさに関する情報と、前記在庫情報記憶手段に記憶された額縁材料の大きさに関する情報と、前記額縁の大きさに関する情報と、に基づいて前記額縁の作製が可能か否かを判定する在庫確認手段と、を備えることを特徴としてもよい。こうすれば、額縁の制作に関する知識を有しない者が額縁情報算出装置を使用した場合であっても、額縁材料の大きさに関する情報を予め記憶することで、額縁の作成が可能か否かを容易に判定することができる。
【００１２】
本発明の額縁情報算出装置において、前記額縁情報算出手段は、前記対象物の大きさに関する情報と、前記対象物の裏面側に挿入される裏面保護部材の大きさに関する情報と、前記対象物の表面側に挿入される表面保護部材の大きさに関する情報と、に基づいて前記額縁の大きさに関する情報を算出することを特徴としてもよい。こうすることにより、裏板や底板等の裏面保護部材やガラス板やプラスチック板等の表面保護部材を対象物と同時に使用したい場合であっても、対象物の大きさに関する情報を入力することで、容易に額縁の大きさに関する情報を出力することができる。
【００１３】
本発明の額縁情報算出装置は、前記額縁の大きさに関する情報に基づいて、前記額縁を収納する収納箱の高さに関する情報を算出する箱サイズ算出手段と、を備え、前記収納箱の高さは、予め所定の間隔で定められた箱の高さサイズ域毎に算出されることを特徴としてもよい。こうすれば、額縁の大きさに関する情報を算出すると共に、完成した額縁を収納する収納箱の大きさも算出することができる。このとき、収納箱の大きさは、所定の間隔（例えば、３ミリメートル）で定められた箱の高さサイズ域毎に算出するため、箱の高さに一定の規則性を与えることができる。
【００１４】
この態様を採用した本発明の額縁情報算出装置において、前記額縁情報出力手段は、前記額縁の大きさに関する情報と前記収納箱の高さに関する情報とをそれぞれ別に出力することを特徴としてもよい。こうすれば、額縁の大きさに関する情報と収納箱の高さに関する情報とのそれぞれの情報を個別に出力することができる。
【００１５】
本発明の額縁情報算出装置の制御方法は、
額縁に収納される対象物の大きさに関する情報を入力する対象物情報入力手段と、前記対象物の大きさに関する情報に基づいて額縁の大きさに関する情報を算出する額縁情報算出手段と、前記額縁の大きさに関する情報を出力する額縁情報出力手段と、を備えた額縁情報算出装置を制御する制御方法であって、
前記対象物の大きさに関する情報を入力する対象物情報入力ステップと、
前記対象物の大きさに関する情報に基づいて額縁の大きさに関する情報を算出する額縁情報算出ステップと、
前記額縁の大きさに関する情報を出力する額縁情報出力ステップと、
を含むことを特徴とするものである。
【００１６】
この額縁情報算出方法では、対象物情報入力手段によって入力された額縁に収納される対象物の縦の長さ、横の長さ及び厚さに関する情報を含む対象物の大きさに関する情報に基づき、額縁情報算出手段が額縁の縦の長さ、横の長さ及び厚さに関する情報を含む額縁の大きさに関する情報を算出し、額縁情報出力手段が算出した額縁の大きさに関する情報を出力する。こうすることにより、対象物の縦の長さ、横の長さ及び厚さに関する情報を入力することで、額縁の縦の長さ、横の長さ及び厚さに関する情報を出力することができる。
【００１７】
本発明のプログラムは、上述した額縁情報算出方法の各ステップを１又は複数のコンピュータに実現させるためのものである。このプログラムは、コンピュータが読み取り可能な記録媒体（例えばハードディスク、ＲＯＭ、ＦＤ、ＣＤ、ＤＶＤ、コンパクトメモリなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した額縁情報算出方法の各ステップが実行されるため、上述した額縁情報算出方法と同様の作用効果が得られる。
【図面の簡単な説明】
【００１８】
【図１】図１は、額縁情報算出処理装置２０を含む額縁情報算出システム１０の概略を示す説明図である。
【図２】図２は、額縁情報算出処理装置２０の電気的接続の概略を示す説明図である。
【図３】図３は、固定値情報テーブル４２の一例を示すイメージ図である。
【図４】図４は、額縁情報テーブル４４の一例を示すイメージ図である。
【図５】図５は、表面保護材テーブル４６の一例を示すイメージ図である。
【図６】図６は、在庫情報テーブル４８の一例を示すイメージ図である。
【図７】図７は、材料情報テーブル４９の一例を示すイメージ図である。
【図８】図８は、入出力画面５０の一例を示す図である。
【図９】図９は、額縁情報算出処理ルーチンの一例を示すフローチャートである。
【図１０】図１０は、在庫確認処理ルーチンの一例を示すフローチャートである。
【図１１】図１１は、箱サイズ算出処理ルーチンの一例を示すフローチャートである。
【図１２】図１２は、額縁の各部の名称を示す説明図である。
【図１３】は、額縁を収納する箱の各部の名称を示す説明図である。
【発明を実施するための形態】
【００１９】
ここで、上記図面に基づいて、本発明の実施の形態の一例である額縁情報算出処理装置２０の構成について詳しく説明するにあたり、額縁情報算出処理装置２０を含む額縁情報システム１０について、簡単に説明する。この額縁情報システム１０は、図１に示すように、複数の携帯型情報端末１２と、額縁情報算出処理装置２０とが、インターネット回線等の電気通信回線１４を介して互いに接続されており、互いに所定の情報を通信している。それぞれの携帯型情報端末１２から対象物の大きさに関する情報等が額縁情報算出処理装置２０に電気通信回線１４を介して入力されると、額縁情報算出処理装置２０が額縁の大きさに関する情報等を算出し、額縁の大きさに関する情報等を出力する。こうすることにより、携帯型情報端末１２と額縁情報算出処理装置２０とが通信可能な状態であれば、いつでもどこでも対象物の大きさに関する情報を入力することで、額縁の大きさに関する情報等の情報を得ることができる。なお、携帯型情報端末１２と額縁情報算出処理装置２０とは、電気通信回線１４を介して互いに接続されているものとしたが、互いに通信可能な状態で接続されていればよく、有線通信であっても無線通信であってもよいし、携帯型情報端末１２は、予め定められた端末であってもよいし、額縁情報算出処理装置２０と通信可能に接続可能な端末であっても良い。また、スマートフォンやラップトップコンピュータであってもよいし、ディスクトップコンピュータ等であってもよい。なお、額縁情報算出処理装置２０による額縁情報算出処理ルーチンの動作を説明することにより、額縁情報算出処理方法及びプログラムの一例も明らかにしている。
【００２０】
次に、額縁情報算出処理装置２０の構成の概略について、図２を用いて詳しく説明する。額縁情報算出処理装置２０は、図２に示すように、各種制御を行う中央演算ユニット３０と、電気通信回線等を介して外部からの各種情報の入出力を行うネットワークインターフェースカード２２（以下、「ＮＩＣ２２」と言う。）と、後述する額縁情報演算処理ルーチンや在庫確認処理ルーチン、在庫情報等を記憶する記憶手段２４と、を備えている。ＮＩＣ２２を介して対象物の大きさに関する情報等の各種情報が入力されると、記憶手段２４から読み出された情報と対象物の大きさに関する情報等に基づいて額縁の大きさに関する情報や在庫に関する情報が中央演算ユニット３０で演算され、ＮＩＣ２２を介して携帯型情報端末１２に出力される。なお、ここで、額縁情報算出処理装置２０としては、例えば、記憶手段２４としてハードディスクドライブ等を有する汎用型パーソナルコンピュータを用いることができる。
【００２１】
中央演算ユニット３０は、ＣＰＵ３１を中心とするマイクロプロセッサとして構成されており、額縁情報算出処理装置２０を動作させるための各種処理プログラム等を記憶したＲＯＭ３２と、一時的に各種データを記憶するＲＡＭ３３と、ＮＩＣ２２と接続を可能とするインタフェース３４（以下、「Ｉ／Ｆ３４」と言う。）と、を備え、これらはバス３５を介してお互いに信号のやりとりが可能に接続されている。
【００２２】
記憶手段２４は、例えば、ハードディスクドライブ等の磁気記憶媒体を利用することができる。この記憶手段２４には、額縁情報算出処理ルーチンや在庫確認処理ルーチン、箱サイズ算出処理ルーチンに加え、固定値情報テーブル４２や額縁情報テーブル４４、表面保護材テーブル４６や在庫情報テーブル４８、材料情報テーブル４９等の各種情報が記憶されており、ＣＰＵ３１からの命令に従い、額縁情報算出処理ルーチンを実行する際に、それぞれのテーブルの所定の位置から情報が読み出される。
【００２３】
固定値情報テーブル４２は、図３に示すように、額縁を作製する際に必要な寸法を算出するために必要な情報が記憶された一覧表であり、左欄に項目が、右欄に値が、それぞれ記憶されている。この固定値情報テーブル４２を読み出し、それぞれの項目に対応する値を用いることで、額縁の大ききに関する情報を容易に算出することができる。なお、固定値情報テーブル４２において、例えば、項目が「マットかかり縦幅」、値が「５」である場合には、マットかかり縦幅の値が５であることを意味する。
【００２４】
額縁情報テーブル４４は、図４に示すように、額縁の大きさに関する情報を算出する際に必要な額縁毎に異なる固定値が額縁の品番を示す符号と関連付けて記憶された一覧表であり、左側から、品番を示す符号、額縁幅、額縁高さ、額かかり幅及びしゃくり長がそれぞれの欄に順に行毎に関連付けられた状態で記憶されている。この額縁情報テーブル４４では、各行が関連付けて記憶されているため、それぞれの品番を示す符号に対応する額縁幅、額縁高さ及びしゃくり長を得ることができる。例えば、品番を示す符号が「ＡＭ１０８４」である場合には、「ＡＭ１０８４」に対応する品番の額縁幅の値が１６、額縁高さの値が１９、額かかり幅の値が５、しゃくり長の値が１４であることを意味する。なお、各部の名称が表す長さは、図１２及び図１３に示す通りである。
【００２５】
表面保護材テーブル４６は、図５に示すように、額縁の大きさに関する情報を算出する際に必要な表面保護材毎に異なる固定値が表面保護材の種類を示す符号と関連付けて記憶された一覧表であり、左側から、表面保護材の種類を示す符号、厚さ、縦ユトリ及び横ユトリがそれぞれの欄に順に行毎に関連付けられた状態で記憶されている。この表面保護材テーブル４６では、各行が関連付けて記憶されているため、それぞれの表面保護材の種類を示す符号に対応する厚さ、縦ユトリ及び横ユトリの長さを得ることができる。例えば、表面保護材の種類を示す符号が「ガラス」である場合には、「ガラス」に対応する厚さの値が２、縦ユトリの値が２、横ユトリの値が２であることを意味する。
【００２６】
在庫情報テーブル４８は、図６に示すように、額縁を作製する際に必要な材料の長さに関する情報が額縁の品番と関連付けて記憶された一覧表であり、左側から、行番号、品番を示す符号及び長さがそれぞれの欄に順に行毎に関連付けられた状態で記憶されている。この在庫情報テーブル４８では、各行が関連付けて記憶されているため、各行毎に、品番を示す符号に対応する材料の長さを得ることができる。例えば、１番目の行は、品番を示す符号が「ＡＭ１０８４」である６００ミリメートルの材料であることを意味する。
【００２７】
材料情報テーブル４９は、図７に示すように、在庫情報テーブル４８から抽出された特定の品番の材料の長さに関する情報が額縁の品番と関連付けて記憶された一覧表であり、左側から、行番号、品番を示す符号及び長さがそれぞれの欄に順に行毎に関連付けられた状態で記憶されている。この在庫情報テーブル４８では、各行が関連付けて記憶されているため、各行毎に、品番を示す符号に対応する材料の長さを得ることができる。例えば、１番目の行は、品番を示す符号が「ＡＭ１０８４」である６００ミリメートルの材料であることを意味する。
【００２８】
次に、こうして構成された本実施の形態の額縁情報算出処理装置２０の動作、特に、額縁情報算出処理の動作について説明する。額縁情報算出処理装置２０は、ＮＩＣ２２を介して対象物の大きさに関する情報、額縁に関する情報及び表面保護材に関する情報の全ての情報が入力されたとＣＰＵ３１が判定した際、具体的には、図８に示すように、携帯型情報端末１２に表示された入出力画面５０の中の作品サイズウィンドウ５２に図示しないキーボード等の入力手段によって数値が入力され、かつ、フレーム選択フィールド５６でフレームの種類が選択され、かつ、表面保護材選択フィールド５４で表面保護材の材質が入力された際に、記憶手段２４から額縁情報算出処理ルーチンが読み出され、ＣＰＵ３１によって繰り返し実行されることによって動作する。なお、これらの情報の全てが入力されないと額縁の大きさに関する情報を算出することはできないため、少なくとも１以上の情報が入力されたと判定されるまでは、額縁情報算出処理ルーチンは実行されない。
【００２９】
額縁情報算出処理ルーチンが実行されると、図９に示すように、ＣＰＵ３１は、ＮＩＣ２２を介して入力された対象物の大きさに関する情報及び額縁及び表面保護材に関する情報をＲＡＭ３３に一時的に記憶する（ステップＳ１００）。続いて、ＣＰＵ３１は、ＮＩＣ２２を介してマット幅に関する情報が入力されたか否か、具体的には、入出力画面５０のマット幅入力フィールド５３に図示しないキーボード等の入力手段によって数値が入力されているか否かを判定し（ステップＳ１１０）、マット幅に関する情報が入力されたと判定した場合には、マット幅に関する情報をＲＡＭ３３に一時的に記憶する（ステップＳ１２０）。こうすることにより、マット幅に関する情報が入力されている場合には、マット幅に関する情報に基づいて額縁の大きさに関する情報を算出することができる。なお、ここで図９は、額縁情報算出処理ルーチンの一例を示すフローチャートである。
【００３０】
一方、ステップＳ１１０でマットの幅に関する情報が入力されていないと判定した場合には、ＣＰＵ３１は、ＲＡＭ３３に一時的に記憶された対象物の大きさに関する情報のうち、対象物の縦長、横長の値及び厚さの値が予め定められた額縁作成可能範囲内であるか否かを判定し（ステップＳ１３０）、額縁作成可能範囲内に含まれないと判定した場合には、コメントウィンドウ６２にエラーを報知して（ステップＳ１９０）、本ルーチンを終了する。このような場合には、額縁を作製することができないためである。ここで、額縁作成可能範囲とは、例えば、対象物の縦長が１００ミリメートル以上であること、対象物の横長が１００ミリメートル以上であること、対象物の厚さが２ミリメートル以下であること、等であり、縦長、横長及び厚さをそれぞれ単独で定めたものであっても、複数を組み合わせて定められたものであってもよい。また、これらの数値は、予め任意に設定することができる。
【００３１】
一方、ステップＳ１３０において、額縁作成可能範囲内であるとＣＰＵ３１が判定した場合には、記憶手段２４から各種情報を読み出し（ステップＳ１４０）、額縁の大きさに関する情報を算出する（ステップＳ１５０）。具体的には、記憶手段２４の固定値情報テーブル４２からマットかかり縦幅、マットかかり横幅、マット厚さ及び裏板厚さの項目に対応する値をそれぞれ読み出すと共に、額縁情報テーブル４４からＲＡＭ３３に一時的に記憶された品番を示す符号に関連付けて記憶されている額縁幅の値、額縁高さの値、額かかり幅の値及びしゃくり長の値を抽出すると共に、表面保護材テーブル４６からＲＡＭ３３に一時的に記憶された表面保護材の種類を示す符号に関連付けて記憶されている厚さの値、縦ユトリの値及び横ユトリの値を抽出し、ＲＡＭ３３に一時的に記憶し、次式（１）から（７）の各項目にＲＡＭ３３に一時的に記憶された値をそれぞれ代入し、額縁の額縦外寸、額横外寸、額縦内寸、額横内寸、表面保護材押さえ長、ドロ足長及び厚さを算出する。なお、次式中、各部の名称が表す長さは、図１２に示す通りである。
【００３２】
【数１】
2018079164.tif 000003
【００３３】
【数２】
2018079164.tif 000004
【００３４】
【数３】
2018079164.tif 000005
【００３５】
【数４】
2018079164.tif 000006
【００３６】
【数５】
2018079164.tif 000007
【００３７】
【数６】
2018079164.tif 000008
【００３８】
【数７】
2018079164.tif 000009
【００３９】
次に、ＣＰＵ３１は、式（３）及び式（４）で算出した額縦外寸の値と額横外寸の値とを比較し（ステップＳ１６０）、額縦外寸の値が額横外寸の値より大きいと判定した場合には、最小材料値の値として額横外寸の値を、最大材料値の値として額縦外寸の値をそれぞれ代入し、それぞれＲＡＭ３３に一時的に記憶する（ステップＳ１７０）。一方、ＣＰＵ３１が額縦外寸の値が額横外寸の値以下と判定した場合には、最小材料値の値として額縦外寸の値を、最大材料値の値として額横外寸の値をそれぞれ代入し、それぞれＲＡＭ３３に一時的に記憶する（ステップＳ１８０）。こうすることにより、額縁を作製する際に使用する材料の２種類の材料の長さを算出することができる。言い換えると、額縁を作製する際には、長さが最大材料値である材料と長さが最小材料値である材料との２種類の材料が必要であり、最小材料値以上の材料が無い場合には、現在選択されている対象物の大きさの額縁を作製することはできない。
【００４０】
次に、ＣＰＵ３１は、後述する在庫情報確認処理を実行し（ステップＳ２００）、本ルーチンを終了する。こうすることにより、対象物の大きさに関する情報等を入力することで、特別な知識を必要とすることなく、額縁の大きさを算出することができる。加えて、在庫情報確認処理で在庫情報を確認することにより、現在の在庫で入力された対象物を収納可能な額縁の作成が可能かどうかを判定することができる。
【００４１】
次に、在庫情報を確認する在庫情報確認処理について、図１０を用いて詳しく説明する。ここで、図１０は、在庫情報確認処理ルーチンの一例を示すフローチャートである。この在庫情報確認処理ルーチンは、ステップＳ２００において、ＣＰＵ３１で読み出された際に、記憶手段２４から読み出され、繰り返し実行される。この在庫情報確認処理ルーチンが実行されると、ＣＰＵ３１は、初期値として、在庫情報テーブルの値が入っている行数を値Ｎに、読み込む行数を示す変数ｎに値１を、長さが最大材料値の材料の数を示す変数Ｌに値ゼロを、長さが最小材料値の材料の数を示す変数ｓに値ゼロを、それぞれ代入する（ステップＳ２１０）。こうすることで、本ルーチンで使用する変数の初期値を設定する。
【００４２】
続いて、ＣＰＵ３１は、在庫情報テーブル４８のｎ行目を読み込み、ｎ行目の材料の長さをＲＡＭ３３に一時的に記憶する（ステップＳ２２０）。続いて、ｎ行目の材料の長さが最大材料値以上であるか否かを判定し（ステップＳ２３０）、ｎ行目の材料の長さが最大材料値以上である場合には、変数Ｌに値１を加算する（ステップＳ２３５）。このように、ｎ行目の材料の長さが最大材料値以上である場合には、額縁を作製する際に必要な最大材料値の長さの材料及び最小材料値の長さの材料の両方に使用することができるため、最大材料値の長さの材料に使用可能なことを示すために変数Ｌに値１を加算する。
【００４３】
ステップＳ２３０において、ＣＰＵ３１がｎ行目の材料の長さが最大材料値未満であると判定した場合には、ｎ行目の材料の長さが最小材料値以上であるか否かを判定し（ステップＳ２４０）、ｎ行目の材料の長さが最小材料値以上であると判定した場合には、変数ｓに値１を加算する（ステップＳ２４５）。このように、ｎ行目の材料の長さが最大材料値未満であって、最小材料値以上である場合には、額縁を作製する際に必要な最小材料値の長さの材料に使用することができるため、最小材料値の長さに使用可能なことを示すために変数ｓに値１を加算する。一方、ステップＳ２４０において、ＣＰＵ３１がｎ行目の材料の長さが最小材料値未満であると判定した場合には、ｎ行目の材料は額縁を作製する材料として使用することができない。
【００４４】
ステップＳ２４０においてＣＰＵ３１がｎ行目の材料の長さが最小材料値未満であると判定した場合、ステップＳ２３５を実行した後及びステップＳ２４５を実行した後に、変数ｎに値１を加算する（ステップＳ２５０）。続いて、ＣＰＵ３１は、変数ｎの値と値Ｎとを比較し（ステップＳ２６０）、変数ｎの値が値Ｎ以下であると判定した場合には、再度ステップＳ２２０を実行する。このような場合には、在庫情報テーブル４８に未だ判定していない材料が記憶されているためである。
【００４５】
一方、ＣＰＵ３１が変数ｎの値が値Ｎ未満であると判定した場合には、変数Ｌの値が２以上であり、変数Ｌの値と変数ｓの値の合計値が４以上であるか否かを判定し（ステップＳ２７０）、変数Ｌの値が２未満であるか、変数Ｌの値と変数ｓの値の合計値が４未満であると判定した場合には、在庫無しエラーをコメントウィンドウ６２に報知し（ステップＳ２８０）、本ルーチンを終了する。額縁を作製するためには、最大材料値の長さの材料と最小材料値の長さの材料とがそれぞれ２つずつ必要であるため、このような場合には、額縁を作製することができないためである。
【００４６】
一方、ＣＰＵ３１が、変数Ｌの値が２以上であり、かつ、変数Ｌの値と変数ｓの値の合計値が４以上であると判定した場合には、制作に関する情報を出力して（ステップＳ２９０）、本ルーチンを終了する。具体的には、額縁情報算出処理ルーチンで算出した各部の長さに関する情報を制作用情報ウィンドウ６８に出力すると共に、決定ボタン６４を選択可能な状態とする。このような場合には、額縁を作製することができるためである。
【００４７】
次に、額を収納する収納箱のサイズを算出する箱サイズ算出処理について、図１１を用いて詳しくする。ここで、図１１は、箱サイズ算出処理ルーチンの一例を示すフローチャートである。この箱サイズ算出処理ルーチンは、額縁情報算出処理ルーチンが実行された後、入出力画面５０の決定ボタン６４が選択されたとＣＰＵ３１が判定した際に、記憶手段２４から読み出され、繰り返し実行される。決定ボタン６４は、在庫確認処理ルーチンにおいて、額縁材料の在庫があり、額縁を作製可能である場合に選択可能な状態となるため、決定ボタン６４が選択可能な状態の場合には、額縁の作製が可能なことを意味している。この箱サイズ算出処理ルーチンが実行されると、ＣＰＵ３１は、次式（８）から（１０）を用いて、箱高さ、箱縦長、箱横長をそれぞれ算出する（ステップＳ３００）。このように、予め額縁情報算出処理ルーチンを実行することにより、箱高さ、箱縦長、箱横長を容易に算出することができる。
【００４８】
【数８】
2018079164.tif 000010
【００４９】
【数９】
2018079164.tif 000011
【００５０】
【数１０】
2018079164.tif 000012
【００５１】
次に、ＣＰＵ３１は、箱のサイズを算出する。具体的には、まず変数ｊに箱の高さの値を、変数ｋ及び変数Ｄに、それぞれ値ゼロを記憶する（ステップＳ３１０）。次に、変数ｊの値から値３を減算し（ステップＳ３２０）、変数ｋの値に値１を加算して（ステップＳ３３０）、変数ｊの値が値３未満か否かを判定する（ステップＳ３４０）。ここで、変数ｊの値が値３以上であるとＣＰＵ３１が判定した場合には、再度ステップＳ３２０を実行する。
【００５２】
一方、ステップＳ３４０で、ＣＰＵ３１が変数ｊの値が３未満であると判定した場合には、ＣＰＵ３１は、変数ｊが値１．５より大きいか否かを判定し（ステップＳ３５０）、変数ｊの値が値１．５より大きいと判断した場合には、変数ｋの値に値１を加算する（ステップＳ３６０）。
【００５３】
続いて、ステップＳ３５０で変数ｊの値が値１．５以下と判断した場合、又は、ステップＳ３６０を実行した後に、変数Ｄに値ｋに値３を乗算した値を記憶する（ステップＳ３７０）。
【００５４】
次に、ＣＰＵ３１は、箱縦長の値を箱の縦の長さとして、箱横長の値を箱の横の長さとして、変数Ｄの値を箱の高さサイズとして、それぞれ出力する（ステップＳ３８０）。こうすることにより、箱の高さのサイズとして必ず３の倍数の数を出力することができるため、箱の高さを箱の高さサイズ域毎に所定の高さに定め、パターンを少なくし、箱を作製する際の労力を低減することができる。
【００５５】
以上詳述した本実施の形態の額縁情報算出処理装置２０によれば、携帯型情報端末１２によって入力された対象物の縦長、横長及び幅を含む大きさに関する情報及び表面保護材の厚さに関する情報に基づいて、額縁の外寸、内寸、厚さ等の額縁の大きさに関する情報を算出し、額縁情報フィールド６０に表示する。こうすることにより、対象物の大きさに関する情報を入力するだけで、例えば、額縁を作製する際に必要なかかり幅に関する情報等、額縁に関する知識を有しない者であっても、額縁の大きさを容易に知ることができる。
【００５６】
また、記憶手段２４は在庫情報テーブル４８を有し、ステップＳ２００において、在庫確認処理を行うことにより、額縁の作成が可能か否かを容易に判定することができる。
【００５７】
更に、額縁の大きさを算出する際、表面保護材や裏面保護材の厚さに基づいて額縁の大きさを算出することにより、表面保護材や裏面保護材の厚さを変更した場合であっても、額縁の作製に必要な材料の大きさを容易に算出することができる。
【００５８】
更にまた、箱サイズ算出処理ルーチンにより、額縁の大きさに関する情報に基づいて、箱のサイズを算出することができる。加えて、ステップＳ３５０からステップＳ３７０を実行することにより、箱の幅を所定の間隔（例えば、３ミリメートル）毎に定めることができる。
【００５９】
なお、本発明は上述した実施形態に何ら限定されることはなく、本発明の技術的範囲に属する限り種々の態様で実施し得ることはいうまでもない。
【００６０】
例えば、上述した実施の形態では、マット幅入力フィールド５３に値を入力するものとしたが、この値は、入力しなくともよい。こうすれば、マットを使用しない場合であっても、額縁の大きさに関する情報を算出することができる。加えて、ステップＳ１１０及びステップＳ１２０を省略することができるため、額縁情報算出処理ルーチンをより簡略化することができる。なお、この場合において、上述した実施形態中のマット縦長、マット横長、マット幅、マットかかり横長及びマットかかり縦長は、全て値ゼロとして計算すれば良い。
【００６１】
上述した実施の形態では、算出した情報は全て入出力画面５０に表示するものとしたが、算出した情報の全てを入出力画面５０に出力する必要は無く、算出した情報のうち、任意の情報のみを出力することにしてもよいし、複数の携帯型情報端末１２のそれぞれに、算出した情報のうち任意の情報を出力することにしてもよい。例えば、一の携帯型情報端末１２に額縁の大きさに関する情報を出力し、他の携帯型情報端末１２に箱の大きさに関する情報を出力してもよい。こうすれば、額縁の大きさに関する情報と箱の大きさに関する情報とをそれぞれ別の携帯型情報端末１２に送信することができる。また、例えば、入出力画面５０にドロ足長等を表示しないことで、入出力画面５０に表示された情報に基づいて、使用者が自ら額縁を作れないようにすることができる。
【００６２】
上述した実施の形態では、額縁情報算出処理装置２０が記憶手段２４を備えるものとしたが、記憶手段２４は額縁情報算出処理装置２０と通信可能な状態で接続されていれば、電気通信回線１４を介して額縁情報算出処理装置２０と接続されていても良い。こうすれば、額縁情報算出処理装置２０に記憶手段２４を備えている場合と比較して、記憶手段２４に記憶された情報に対するセキュリティを高めることができる。
【産業上の利用可能性】
【００６３】
上述した実施の形態で示すように、情報管理分野、特に額縁の大きさを算出する額縁情報算出装置として利用することができる。
【符号の説明】
【００６４】
１０…額縁情報算出システム、１２…携帯型情報端末、１４…電気通信回線、２０…額縁情報算出処理装置、２２…ネットワークインターフェースカード、２４…記憶手段、３０…中央演算ユニット、３１…ＣＰＵ、３２…ＲＯＭ、３３…ＲＡＭ、３４…インタフェース、３５…バス、４２…固定値情報テーブル、４４…額縁情報テーブル、４６…表面保護材テーブル、４８…在庫情報テーブル、４９…材料情報テーブル、５０…入出力画面、５２…作品サイズウィンドウ、５３…マット幅入力フィールド、５４…表面保護材選択フィールド、５６…フレーム選択フィールド、６０…額縁情報フィールド、６２…コメントウィンドウ、６４…決定ボタン、６８…制作用情報ウィンドウ。
【図１】
2018079164.tif 000013
【図２】
2018079164.tif 000014
【図３】
2018079164.tif 000015
【図４】
2018079164.tif 000016
【図５】
2018079164.tif 000017
【図６】
2018079164.tif 000018
【図７】
2018079164.tif 000019
【図８】
2018079164.tif 000020
【図９】
2018079164.tif 000021
【図１０】
2018079164.tif 000022
【図１１】
2018079164.tif 000023
【図１２】
2018079164.tif 000024
【図１３】
2018079164.tif 000025